(57)【要約】【課題】タイマ記録動作中の消費電力を極力に低減することができるタイマ記録装置における表示制御装置を提供する。【解決手段】装置全体を複合的に制御するためのＣＰＵ１に電源回路２の第１電源出力Ｐ１が接続される。ＣＰＵ１には主動作部３と表示回路４とタイマ回路５と操作キー群６が接続される。タイマ回路５によってタイマ記録動作中にされたときには、主動作部３に対する第２電源出力Ｐ２がオン状態とされ、表示回路４への第３電源出力Ｐ３がオフ状態とされるために表示がなされず省エネが図れる。【選択図】      図１
2004253076.tif 000002
【特許請求の範囲】
【請求項１】
予め設定された時刻に所定の記録動作をさせ得るタイマ回路と、各種動作状態の表示を行い得る表示回路とを有するタイマ記録装置において、前記タイマ回路によって記録動作が実行されているときに上記表示回路に基づく表示を非表示状態に制御することを特徴とするタイマ記録装置における表示制御装置。
【請求項２】
前記記録動作は、音声信号の記録であることを特徴とする請求項１に記載のタイマ記録装置における表示制御装置。
【請求項３】
前記記録動作は、画像信号の記録であることを特徴とする請求項１に記載のタイマ記録装置における表示制御装置。
【請求項４】
前記表示回路によって制御される表示に対して付加的に設けられた付加機能表示を、前記タイマ回路によって記録動作が実行されているときに非表示状態に制御する機能を付加することを特徴とする請求項１に記載のタイマ記録装置における表示制御装置。
【請求項５】
前記表示回路によって制御される表示を、液晶表示素子と補助照明部材で形成し、前記タイマ回路によって記録動作が実行されているときに前記補助照明部材による発光を停止することを特徴とする請求項１に記載のタイマ記録装置における表示制御装置。
【請求項６】
前記タイマ回路に基づく記録動作が実行される以前のスタンバイ状態のときに上記表示回路に基づく表示を非表示状態に制御する機能を付加することを特徴とする請求項１乃至請求項５のいずれかに記載のタイマ記録装置における表示制御装置。
【請求項７】
前記タイマ回路によって記録動作が実行されているときに上記表示回路に基づく表示を非表示状態に制御する動作を任意に解除する機能を付加することを特徴とする請求項１乃至請求項６のいずれかに記載のタイマ記録装置における表示制御装置。
【発明の詳細な説明】
【０００１】
【発明の属する技術分野】
本発明は、予め設定された時刻に所定の記録動作をさせ得るタイマ回路と、各種動作状態の表示を行い得る表示回路とを有するタイマ記録装置における表示制御装置に関する。
【０００２】
【従来の技術】
一般に、タイマ記録装置においては、電源オン状態においては、全動作が直ちに可能となるように、電源回路の出力が全回路部に供給され、電源スタンバイ状態においては、記録再生回路部への電源供給が不要であるために当該回路への電源供給がなされず、時間管理や各種設定情報の格納を行うタイマー回路と時間表示を行うための表示回路のみへの電源供給がなされるように制御される。
【０００３】
また、予め設定された時刻に所定の記録動作を行うタイマ記録装置は、ビデオテープレコーダ、ミニディスクレコーダ、カセットテープレコーダ等々に採用されていて、チューナ等のソース機器からミニディスク等の記録媒体に予め設定した記録開始時刻から記録終了時刻までの間に自動記録することができる。
【０００４】
このようなタイマ記録装置において、タイマ動作を設定してからタイマ記録が開始されるまでのスタンバイ状態の時間帯においては、時間管理や各種設定情報の格納を行うタイマ回路と時間表示を行うための表示回路への電源供給がなされると共に、表示部を含む他回路は、節電のために電源供給が停止された状態に制御される。そして、タイマ記録が開始された時点で表示部を含む全回路に電源供給が開始され、タイマ記録が終了した時点でスタンバイ状態に戻されるのである。
【０００５】
このようなタイマ記録動作中には、ユーザが就寝中もしくは留守中のときが多く、ユーザが記録機器の記録動作中に当該機器の表示を確認することは極めて少ないという現状に着目し、例えば特許文献１に開示されている技術を応用することが考えられる。
【０００６】
即ち、記録機器の近傍にユーザが存在することを検知し、その検出結果が不在である場合には、不在時間の計測を行ない、その不在時間の長短に応じて段階的に省電力モードへの移行制御を行ない、不在時には必要最小限の回路のみに電源供給するという省電力モードにし、その後にユーザの存在が検出されると速やかに通常モードへの移行制御を行なうことによってある程度の省エネを達成させることができる。
【０００７】
【特許文献１】
特開２００１−３５９０３２号公報（図１及び図２、段落番号の［００１６］〜［００３７］
【０００８】
【発明が解決しようとする課題】
従来のタイマ記録装置における表示制御装置は、タイマ記録動作中には、通常の動作時と同様の電源供給がなされているために、実際にはユーザが見ることの殆ど無い表示に対して電源供給がなされているために無駄な電力を消費するという問題があり、装置回路への電源供給が電源電池を用いて行われるときには電池寿命が著しく低減されてしまうので特に問題となる。
【０００９】
そこで、本発明の目的は、タイマ記録動作中の消費電力を極力に低減することができるタイマ記録装置における表示制御装置を提供することにある。
【００１０】
【課題を解決するための手段】
前記課題を解決するために、本発明によるタイマ記録装置における表示制御装置は、次に記載するような特徴的な構成を採用している。
【００１１】
（１）予め設定された時刻に所定の記録動作をさせ得るタイマ回路と、各種動作状態の表示を行い得る表示回路とを有するタイマ記録装置において、
前記タイマ回路によって記録動作が実行されているときに上記表示回路に基づく表示を非表示状態に制御するタイマ記録装置における表示制御装置。
【００１２】
（２）前記前記記録動作は、音声信号の記録である上記（１）のタイマ記録装置における表示制御装置。
【００１３】
（３）前記記録記録動作は、画像信号の記録である上記（１）のタイマ記録装置における表示制御装置。
【００１４】
（４）前記表示回路によって制御される表示に対して付加的に設けられた付加機能表示を、前記タイマ回路によって記録動作が実行されているときに非表示状態に制御する機能を付加する上記（１）のタイマ記録装置における表示制御装置。
【００１５】
（５）前記表示回路によって制御される表示を、液晶表示素子と補助照明部材で形成し、前記タイマ回路によって記録動作が実行されているときに前記補助照明部材による発光を停止する上記（１）のタイマ記録装置における表示制御装置。
【００１６】
（６）前記タイマ回路に基づく記録動作が実行される以前のスタンバイ状態のときに上記表示回路に基づく表示を非表示状態に制御する機能を付加する上記（１）乃至上記（５）のいずれかのタイマ記録装置における表示制御装置。
【００１７】
（７）前記タイマ回路によって記録動作が実行されているときに上記表示回路に基づく表示を非表示状態に制御する動作を任意に解除する機能を付加する上記（１）乃至上記（６）のいずれかのタイマ記録装置における表示制御装置。
【００１８】
【発明の実施の形態】
以下、本発明の一実施の形態によるタイマ記録装置における表示制御装置を図面を用いて詳細に説明する。なお、本実施の形態は、ラジオ放送受信機能を有すると共に、ミニディスク（以下、「ＭＤ」と略称する）記録再生機能を有する音響システムに本発明を適用した例である。
【００１９】
先ず、図１を用いて構成を説明すると、タイマ記録装置における表示制御装置を含む音響システムの全体を複合的に制御するためのＣＰＵ１が設けられ、これに電源回路２からの出力される第１電源出力Ｐ１が接続されると共に、電源回路２を制御するための制御信号Ｓのラインが接続されている。
【００２０】
ＣＰＵ１には、ＭＤの記録再生動作を行う記録再生部３１と、ラジオ放送受信動作を行うチューナ部３２とを有する主動作部３が接続され、また、時刻表示や各種の動作モードの表示を行う表示回路４が接続され、時計回路５１を含んで構成されると共に予め設定された時刻に主動作部３に対して所定の記録動作をさせ得るためのタイマ回路５が接続され、この主動作部３、表示回路４及びタイマ回路５のそれぞれは、双方向の制御信号ラインによって適正に制御される。
【００２１】
電源回路２は、ＡＣ１００Ｖ等の商用電源を整流・安定化した４系統の直流出力を生成するもので、第１電源出力Ｐ１をＣＰＵ１に供給し、第２電源出力Ｐ２を主動作部３に供給し、第３電源出力Ｐ３を表示回路４に供給し、第４電源出力Ｐ４をタイマ回路５に供給するように構成され、この第１電源出力Ｐ１乃至第４電源出力Ｐ４のオン／オフが、ＣＰＵ１から電源回路２に対して出力される電源制御信号Ｓによって制御される。
【００２２】
ＣＰＵ１に接続された操作キー群６は、ＭＤ記録、ＭＤ再生、チューナ受信、音量の大小調整等々の基本動作を指令するための多数の操作指令キー（不図示）を有し、かつ主動作部３の記録部３１をタイマ記録モードにするタイマＲＥＣキー６１と、該タイマ記録の開始時刻、終了時刻及びソース形態を設定するための設定キー６２を有して構成されている。
【００２３】
なお、操作キー群６を構成する解除キー６３は、必要に応じて設けられたもので、詳しくは、ＣＰＵ１によって制御されるタイマ回路５により主動作部３の記録再生部３１で記録動作が実行されているときに表示回路４に基づく表示を非表示状態に制御する動作をユーザが手動によって任意に解除できる機能を達成させるためのものである。
【００２４】
以上のように構成された音響システムは、平生時には、電源回路２から出力される第１電源出力Ｐ１乃至第４電源出力Ｐ４の全てが電源制御信号Ｓによってオン状態にされているために、操作キー群６のキー操作を行うことによってチューナ部３２によるラジオ放送受信と、記録再生部３１によるＭＤ再生とＭＤ記録をユーザの好みに応じて任意に行うことができる。
【００２５】
ユーザがＭＤにラジオ放送をタイマ記録するときには、予め設定動作を行うことが必要とされ、設定キー６２を操作してチューナ部３２の受信チャンネルの設定、記録開始時刻の設定及び記録終了時刻の設定を行った後にタイマＲＥＣキー６１を操作することによってタイマ記録のスタンバイ状態にされる。
【００２６】
この状態がＣＰＵ１で検知されると、ＣＰＵ１から電源回路２に電源制御信号Ｓが送信され、これを受信した電源回路２は、省エネのために、第２電源出力Ｐ２と第３電源出力Ｐ３をオフ状態とし主動作部３の動作が停止されこれと同時に表示回路４の動作が停止され、電源回路２からの第４電源出力Ｐ４が引き続きオン状態とされるので、時計回路５１による時刻検出が行われると共にタイマ回路５による減算カウントが開始され、タイマ記録開始に備えられる。
【００２７】
そして、図２に示すフローチャートのように表示部制御開始、即ち電源回路２からの電源供給が第１電源出力Ｐ１と第４電源出力Ｐ４のみがオン状態とされ、かつ第２電源出力Ｐ２と第３電源出力Ｐ３がオフ状態とされることに伴ってタイマ回路５が動作状態にされている状態で先ずステップＳ１が実行される。
【００２８】
ステップＳ１は、タイマ記録動作中であるか否かを判定するもので、タイマ記録動作中でない状態（Ｎｏの場合）にはステップＳ２に進んで各モードに応じた表示制御が実行され、ステップＳ１によってタイマ記録動作中であると判定されたとき（Ｙｅｓの場合）、即ち、予め設定されたタイマ記録開始時刻になったときには、電源回路２からの第２電源出力Ｐ２がオン状態にされ、チューナ部３２の出力が記録再生部３１によってＭＤ記録が開始され、このときには第３電源出力Ｐ３が引き続きオフ状態であるために表示回路４による表示の全消灯がなされ、この状態が継続しタイマ記録終了時刻になったことがタイマ回路５によって検出されたときに一連のタイマ記録動作が終了する。
【００２９】
なお、前述のようにタイマ記録動作が継続している間にユーザが解除キー６３を操作するとＣＰＵ１からの電源制御信号Ｓによって電源回路２からの第３電源出力Ｐ３がオン状態とされ、タイマ記録動作中の動作表示を例えば解除キー６３が押し操作されている間に一時的に行うことができ、また、解除キー６３を押操作してから一定時間、例えば数秒だけ動作表示を行うことができる。
【００３０】
もちろん、解除キー６３の操作によって完全に動作表示状態に移行するようにしても良い。また、この解除キー６３は電源ボタンと共用するようにしても良い。これによって、ユーザがタイマ動作期間中に、この音響システムの近くにいた場合、確実に動作しているか確認することができる。通常、ユーザは表示がなされていないと非動作状態であると認識してしまう可能性があり、そのような場合、あわてて電源ボタンを押してしまう場合がある。しかし、この時、動作状態にあるので、従来の構成では電源オフになってしまう。これを上述のように構成することで、非表示状態からいきなり電源オフとなってしまうことがなく、ユーザに動作状態を通知することができる。
【００３１】
なお、本実施の形態は、ソース信号がチューナ部３２からの音声信号を記録再生部３１により音声記録する例であるが、ソース信号が画像信号であったり、音声と画像の両方であったりしてもよく、コンピュータデータ信号であってもよいことは勿論である。
【００３２】
また、本実施の形態ではタイマ記録動作中に表示を消灯する態様が表示回路４による各種動作モード表示と時刻表示であるが、当該の表示回路４によって制御される表示に対して付加的に設けられた付加機能表示、例えばチューナ動作が作動していることを単独で示すＬＥＤ表示が存在する場合には、当該の付加機能表示も非表示状態に制御することによってよりいっそうの省エネを図ることができる。
【００３３】
さらに、表示回路４による表示態様が、液晶表示素子と補助照明部材で形成されている場合には、タイマ記録動作中に補助照明部材による発光のみを停止するようにしてもよく、液晶表示素子と補助照明部材の両方を動作停止状態にしてもよい。
【００３４】
タイマ回路５に基づく記録動作が実行される以前のスタンバイ状態のときに上記の各種表示を非表示状態に制御する機能を付加するようにしてもよいことは勿論である。
【００３５】
【発明の効果】
以上の説明で明らかなように、本発明によるタイマ記録装置における表示制御装置は、タイマ記録動作中には、実際にはユーザが見ることの殆ど無い表示に対する電源供給を停止しているので無駄な電力消費を極力に少なくすることができ、大幅な省エネを図れ、特に装置回路への電源供給が電源電池を用いて行われるときに電池寿命が著しく増加させることができる。
【００３６】
従って、本発明によれば、タイマ記録動作中の消費電力を極力に低減することができるタイマ記録装置における表示制御装置を提供することができる。
【図面の簡単な説明】
【図１】本発明の実施の形態におけるタイマ記録装置における表示制御装置を用いた音響システムの全体構成を示すブロック回路図である。
【図２】図１に示される音響システムの要部動作を説明するためのフローチャートである。
【符号の説明】
１    ＣＰＵ
２    電源回路
３    主動作部
４    表示回路
５    タイマ回路
６    操作キー群
３１  記録再生部
３２  チューナ部
５１  時計回路
６１  タイマＲＥＣキー
６２  設定キー
６３  解除キー
【図１】
2004253076.tif 000003
【図２】
2004253076.tif 000004